(57)【要約】      （修正有）【課題】用具把持部に設ける衝撃吸収体の提供。【解決手段】用具把持部の手のひらが接する箇所に貼り付けられ、繊維または前記用具把持部の熱伝導率以下の熱伝導率素材をゲル２と一体に成形して構成することにより用具使用時に把持部を通じて手に伝わる衝撃を吸収する衝撃吸収体１。【選択図】図６
0003132963.tif 000002
【実用新案登録請求の範囲】
【請求項１】
用具把持部の手のひらが接する箇所に貼り付けられ、繊維または前記用具把持部の熱伝導率以下の熱伝導率素材をゲルと一体に成形して構成することを特徴とする衝撃吸収体。
【請求項２】
周辺部の厚さを中心部の厚さより薄く成形したことを特徴とするゲルを備える請求項１に記載する衝撃吸収体。
【考案の詳細な説明】
【技術分野】
【０００１】  本考案は、杖や傘など使用時または持ち運び時に地面からの衝撃を受ける用具や、電動工具などの加工物から衝撃を受ける把持部に貼り付けて衝撃を吸収する衝撃吸収体に関する。
【背景技術】
【０００２】  従来の衝撃吸収技術では、掌の筋肉が少なくなることなどにより掌の緩衝性能が低下した高齢者などが杖をついて舗装道路など固い路面を歩行する場合、路面からの衝撃が杖を伝ってこれを持つ手、さらに腕を経て頭部にまで伝わり、苦痛を与えるという課題があった。この現象を解決するために杖の下端にクッション用のゴム製キャップを嵌める方法（実開昭５６−１０３２１４号公報、参照）、杖の途中にばね部材を介在させ、杖を伸縮させて衝撃を吸収する方法（特開平１０−９４４０８号公報、実開昭６１−２１１６号公報、参照）、杖本体の途中に流体ダンパを介在させ、杖類を舗装道路に当てたときの衝撃を流体ダンパで吸収するようにした方法（特開２０００−１７５７１６）が提案されている。また、グリップ全体を厚さのある柔らかい布などで覆う方法も提案されている。
【考案の開示】
【考案が解決しようとする課題】
【０００３】  しかしながら従来のようにゴム製キャップによってある程度の衝撃を吸収できるものの、衝撃吸収性能を上げようとすると、杖本体の安定性が損なわれるため、衝撃吸収性能を大きくはできず、上記課題は解決できない。また、杖本体の途中に流体ダンパを介在させる方法は、杖の重さが重くなり筋力が衰えた使用者には持ち運びが困難となるという課題があった。
さらに、布などでグリップを覆う方法は、布とグリップ素材の間でのすべりや布本体の衝撃吸収性能が小さいため、布の厚さを厚くする結果、布の内部の滑りが生じたり、全体の形状が布により変化するためのグリップ本来の把持性能を損なうこと、またグリップ本来の感触や見栄えを損なうなどの課題があった。
本考案は、従来の手に持つ製品の衝撃吸収の持つ課題を解決する衝撃吸収体を提供することを目的とする。
【課題を解決するための手段】
【０００４】  本考案では、用具把持部の手のひらが接する箇所に貼り付けられ、繊維または前記用具把持部の熱伝導率以下の熱伝導率素材をゲルと一体に成形して構成する衝撃吸収体により従来の杖の衝撃吸収方法の上記課題を解決するものである。
【考案の効果】
【０００５】  本考案の構成により、衝撃吸収性能の優れたゲル状シートと掌に接する表面を感触の良い繊維で構成したため、前記衝撃吸収体の厚さを薄くすることができ、十分な衝撃吸収性能を持ち、しかも厚さが薄いためグリップの把持性能を保持できる把持感触が良く、グリップ本来の感触や見栄えを損なわない衝撃吸収体を実現できる。また、繊維とゲルを一体で成形したため、繊維とゲルが剥がれる心配がない。繊維とゲルの剥がれがないことは、把持したときのすべりが生じないため、用具を安全に把持することができる。
【実施例】
【０００６】  以下に実施例を説明する。図１は従来例を示す。
ネット状に成形された衝撃吸収体１を、Ｔ字型のグリップ４に装着する方法は、前記衝撃吸収体１をＴ字型のグリップ４の長い方からシートに設けた挿通部に通して短い方に掛けて、Ｔ字型の握り部に包み込むように巻いて、左右の接着部を合わせて固定する。
図２は本考案の第１の実施例を示す。
衝撃吸収体１は板状のゲル２と同じ形状の表面部３で構成されている。把持する手に接触する表面部３は冬でも冷たくなくするため、また柔らかい感触を与えるため材質は繊維または発泡ゴム、コルクなどの熱伝導率の低い素材にする。または、グリップの素材と一体感を持たせるためグリップの色・材質などと合わせた可柔性のある合成樹脂を用いることもできる。表面部３と一体に成形されているゲル２は地震での家具転倒防止にも用いられているように衝撃吸収性能に優れるため、従来の発泡性ゴムなどに比べ、同一の衝撃吸収性能を得るのには、はるかに薄くすることができる。これにより、グリップの握りやすさなど本来の把持性能やグリップ自体の造形への影響をなくすことができる。
図３は、本考案の衝撃吸収体１を杖のグリップ部４に貼り付けた実施例を示す。
グリップ４の使用者の体重が加わる峰部５に衝撃吸収体１を貼り付けている。
製造過程でゲルの接着力を調節して通常の使用時には剥がれることなく、また交換を必要としたときには、グリップの塗装を剥がすことなく剥がすことができるようにしている。また、衝撃吸収体の大きさや貼り付け位置をグリップの峰部５に貼り付けることに限った大きさ貼り付け位置としているため握りやすさなど本来の把持性能やグリップの色調などの造形にはほとんど影響を与えない。
図４の実施例は図３の実施例に比較し、衝撃吸収体１の幅をやや広くしグリップ４の峰部５から横壁部６の境界部分まで覆うようにしたものである。図３の実施例に対し、グリップの造形にやや影響を与えるものの、より広いため使用者の手の掌部の筋肉の衰え方のより多くの使用者に効果がある。
図５はの実施例を示す。グリップの峰部５に二段溝７を設け、ゲル２が峰部５に嵌るように構成されている。表面部３はゲル２よりも幅と長さが大きく作られ、前記峰部５と接触する部分は接着剤により接着される。以上のような構成により、衝撃吸収体１をグリップ４からより剥がれにくくすることのほか、把持したときの違和感が極めて少なくなるという利点がある。
図６は別の実施例を示す。グリップの峰部５に二段溝７を設け、ゲル２が峰部５に嵌るように構成されている。表面部３はゲル２よりも幅と長さが大きく作られ、前記二段溝７と接触する部分は接着剤により接着される。以上のような構成により、衝撃吸収体１をグリップ４からより剥がれにくくすることのほか、グリップの峰部５と表面部３は同一表面になるため把持したときの違和感が極めて少なくなるという利点がある。
図７は本考案の別の実施例を示す。ゲル２は周辺部を中心部よりも厚さを薄くしたものである。また表面部３のゲル２より大きい部分は、接着剤によりグリップの峰部５に接着される。この他接着剤の代わりに粘着性を持つゲル２の部分を表面部３の下面前面に延長してもよい。すなわち表面部３のゲル２より大きい部分８の下面には薄い粘着性ゲルが設けられる。粘着性ゲルを表面部３の下面全面と一体に成形することにより取り外し自由の衝撃吸収体を得ることができる。中心部のゲルは厚みが厚いため、十分の衝撃吸収性能が得られ、また周辺部のゲルは薄いため、グリップの峰部５との段差が少なくなるため前記衝撃吸収体を剥がれにくくすることができる。
【図面の簡単な説明】
【０００７】
【図１】従来例
【図２】本考案の第１の実施例
【図３】本考案の第２の実施例
【図４】本考案の第３の実施例
【図５】本考案の第４の実施例
【図６】本考案の第５の実施例
【図７】本考案の第６の実施例
【符号の説明】
【０００８】１    衝撃吸収体
２    ゲル
３    表面部
４    グリップ
５    グリップの峰部
６    グリップの横壁部
７    グリップに設けた溝
８    表面部のゲルより大きい部分
【図１】
0003132963.tif 000003
【図２】
0003132963.tif 000004
【図３】
0003132963.tif 000005
【図４】
0003132963.tif 000006
【図５】
0003132963.tif 000007
【図６】
0003132963.tif 000008
【図７】
0003132963.tif 000009